(57)【要約】      （修正有）【課題】簡易な作業で作成できる、複数の同軸ケーブルおよび接地用電線が接地接続されて一体化された多芯同軸ケーブルを提供する。【解決手段】多芯同軸ケーブル１は、それぞれの長さ方向の同一箇所で各外被および外被が除去されている。そして、外被が除去された箇所の８本の同軸ケーブルの外部導体１３および外被が除去された箇所の絶縁電線の導体２１の周囲に金属線３０が巻き付けられている。これにより、８本の同軸ケーブルおよび絶縁電線が束ねられている。金属線３０としては、例えば外径０．０８ｍｍ程度の錫メッキ軟銅線を用いることができる。【選択図】図３
0003188761.tif 000002
【実用新案登録請求の範囲】
【請求項１】
複数本の同軸ケーブルと少なくとも一本の接地用電線とが集合された多芯同軸ケーブルであって、
複数本の前記同軸ケーブルが隣の同軸ケーブルと接触するように束ねられており、
それぞれの長さ方向の同一箇所で前記複数本の同軸ケーブルの外被および前記接地用電線の外被が除去され、
それぞれの前記外被が除去された箇所の前記複数本の同軸ケーブルの外部導体および前記接地用電線の導体の周囲に金属線が巻き付けられることにより、前記複数本の同軸ケーブルおよび前記接地用電線が束ねられ、
当該束ねられた部分が半田付けされて固着され前記外部導体および前記導体が一体化されている、多芯同軸ケーブル。
【考案の詳細な説明】
【技術分野】
【０００１】
本考案は、複数本の同軸ケーブルを一体化させた多芯同軸ケーブルに関する。
【背景技術】
【０００２】
例えば特許文献１には、複数本の同軸ケーブルの外部導体を所定の箇所で露出させて半田で一体化することが開示されている。
【先行技術文献】
【特許文献】
【０００３】
【特許文献１】特開２０１１−１４６１６３号公報
【考案の概要】
【考案が解決しようとする課題】
【０００４】
特許文献１は、各同軸ケーブルの外部導体を接地するときに外部導体の集合された部分が、基板のグランドパッドに直接接続されている。外部導体を接地する箇所の多芯同軸ケーブルの先端部分にするなど外部導体が集合された部分から離れた場所とする場合に適応した構造ではない。
【０００５】
本考案は、複数の同軸ケーブルの外部導体を基板やコネクタに接地する箇所を自由に設計できる多芯同軸ケーブルを提供することを目的とする。
【課題を解決するための手段】
【０００６】
本考案の多芯同軸ケーブルは、複数本の同軸ケーブルと少なくとも一本の接地用電線とが集合された多芯同軸ケーブルであって、
複数本の前記同軸ケーブルが隣の同軸ケーブルと接触するように束ねられており、
それぞれの長さ方向の同一箇所で前記複数本の同軸ケーブルの外被および前記接地用電線の外被が除去され、
それぞれの前記外被が除去された箇所の前記複数本の同軸ケーブルの外部導体および前記接地用電線の導体の周囲に金属線が巻き付けられることにより、前記複数本の同軸ケーブルおよび前記接地用電線が束ねられ、
当該束ねられた部分が半田付けされて固着され前記外部導体および前記導体が一体化されている。
【考案の効果】
【０００７】
本考案の多芯同軸ケーブルによれば、接地用電線を使用してその長さを適宜変更することで各同軸ケーブルの外部導体を基板やコネクタに接地する箇所を自由に設計できる。
【図面の簡単な説明】
【０００８】
【図１】本考案に係る多芯同軸ケーブルの実施形態の一例を示す平面図である。
【図２】図１に示す多芯同軸ケーブルのＡ−Ａ拡大断面図である。
【図３】図１に示す多芯同軸ケーブルのＢ−Ｂ拡大断面図である。
【図４】図１に係る多芯同軸ケーブルの製造方法を示す平面図である。
【図５】図１に係る多芯同軸ケーブルの製造方法を示す平面図である。
【図６】図１に係る多芯同軸ケーブルの製造方法を示す平面図である。
【考案を実施するための形態】
【０００９】
[本願考案の実施形態の説明]
最初に本願考案の実施形態の内容を説明する。
本願考案の実施形態に係る多芯同軸ケーブルは、複数本の同軸ケーブルと少なくとも一本の接地用電線とが集合された多芯同軸ケーブルであって、
複数本の前記同軸ケーブルが隣の同軸ケーブルと接触するように束ねられており、
それぞれの長さ方向の同一箇所で前記複数本の同軸ケーブルの外被および前記接地用電線の外被が除去され、
それぞれの前記外被が除去された箇所の前記複数本の同軸ケーブルの外部導体および前記接地用電線の導体の周囲に金属線が巻き付けられることにより、前記複数本の同軸ケーブルおよび前記接地用電線が束ねられ、
当該束ねられた部分が半田付けされて固着され前記外部導体および前記導体が一体化されている。
この構成によれば、複数本の同軸ケーブルの外部導体および接地用電線の導体の周囲に金属線を巻きつけて複数本の同軸ケーブルと接地用電線を束ねて半田付けするという簡易な作業により、外部導体および導体が一体化できる。これにより、簡易な作業で作成できる、複数の同軸ケーブルおよび接地用電線が接地接続されて一体化された多芯同軸ケーブルを提供できる。また、上記接地用電線により各同軸ケーブルの外部導体が接地される。
【００１０】
[本願考案の実施形態の詳細]
以下、本考案に係る多芯同軸ケーブルの実施形態の例を、図面を参照して説明する。
図１〜図３に示すように、多芯同軸ケーブル１は、複数本（ここでは８本）の同軸ケーブル１０と一本の絶縁電線２０とが集合されて構成されている。８本の同軸ケーブル１０は、隣の同軸ケーブルと接触するように束ねられている。図２に示すように、同軸ケーブル１０が８本の場合は、同軸ケーブル１０の長さ方向に垂直な断面で見て、束ねられた同軸ケーブル１０の外周が丸くなるように束ねられる。
なお、本例においては同軸ケーブル１０の本数を８本としたが、複数本であれば同軸ケーブル１０の数はこれに限られない。同軸ケーブル１０が４本の場合は、同軸ケーブルの長さ方向に垂直な断面で見て、束ねられた同軸ケーブル１０の外周が四角形になるように束ねられる。
【００１１】
図２に示すように、同軸ケーブル１０は、その中心軸に直交する径方向の断面において、中心から外側に向かって、中心導体１１、内部絶縁体１２、外部導体１３および外被１４を有している。同軸ケーブル１０としては、例えばＡＷＧ（American Wire Gauge）の規格によるＡＷＧ４０よりも細い同軸ケーブルを用いることが望ましい。例えば、外径が０．２ｍｍであるＡＷＧ４６の同軸ケーブルを用いる。
【００１２】
一例として、上記同軸ケーブル１０は、例えば錫メッキ軟銅線を複数撚り合わせて形成される撚線からなる中心導体１１と、ＰＦＡ（テトラフルオロエチレン・パーフルオロアルキルビニルエーテル共重合体）などのフッ素系樹脂からなる内部絶縁体１２と、錫メッキ軟銅線を複数本巻き付けたもの又は銅箔もしくは銅蒸着ポリエステルテープからなる外部導体１３と、ポリエステルもしくはＰＴＦＥなどからなる外被１４と、から構成されている。
【００１３】
接地用電線には絶縁電線２０を使用することができる。絶縁電線２０は、中心から外側に向かって、導体２１および外被２２を有している。絶縁電線２０の太さは、例えばＡＷＧ４６（導体部分の外径が０．０５ｍｍ）である。接地用電線に同軸ケーブルを使用することもできる。
【００１４】
図３に示すように、多芯同軸ケーブル１は、それぞれの長さ方向の同一箇所で各外被１４および外被２２が除去されている。
そして、外被１４が除去された箇所の８本の同軸ケーブル１０の外部導体１３および外被２２が除去された箇所の絶縁電線２０の導体２１の周囲に金属線３０が巻き付けられている。これにより、８本の同軸ケーブル１０および絶縁電線２０が束ねられている。
金属線３０としては、例えば外径０．０８ｍｍ程度の錫メッキ軟銅線を用いることができる。
【００１５】
さらに、多芯同軸ケーブル１は、上記外部導体１３および導体２１が金属線３０により束ねられた部分が半田Ｓにより固着され、８本の同軸ケーブル１０の外部導体１３と絶縁電線２０の導体２１とが一体化されている。
すなわち、８本の同軸ケーブル１０の外部導体１３と絶縁電線２０の導体２１は、電気的に導通されている。
接地用電線に同軸ケーブルを使用する場合は、同軸ケーブルの外被を除去して外部導体を露出して他の同軸ケーブルの外部導体と接触させて一体化するとよい。
【００１６】
次に、以上のように構成される多芯同軸ケーブル１を作成する工程について図４〜図６を参照して説明する。
【００１７】
まず、８本の同軸ケーブル１０および絶縁電線２０を一列に並列して不図示のテープ等で固定する。次に、並列された同軸ケーブル１０の群の一端側において外被１４をＣＯ２レーザ等で切断する。そして、切断された外被１４を一端側に例えば１〜２ｍｍほど動かして、外部導体１３を露出させる。同様に、絶縁電線２０の外被１４もＣＯ２レーザ等で切断し、一端側の外被１４を除去して導体２１を露出させる。
上記外部導体１３および導体２１が露出する箇所は、８本の同軸ケーブル１０および絶縁電線２０の長さ方向の同一箇所で露出するようにする。
続いて、８本の外部導体１３および導体２１が露出している箇所に、金属線３０を巻き付ける。これにより、図４に示す状態となる。
【００１８】
次に、図５に示すように、金属線３０を左右に強く引っ張るようにしてきつく結ぶ。これにより、８本の同軸ケーブル１０および絶縁電線２０が長さ方向に垂直な断面で見て丸く束ねて配列される。
【００１９】
続いて、外部導体および導体２１が金属線３０によって結ばれた部分を例えば２６０℃の半田槽に漬けることで、図６に示すように、半田Ｓが塗布される。このようにして、８本の外部導体および導体２１を半田付けにより連結して一体化する。
【００２０】
その後、金属線３０および導体２１が半田Ｓから突出した部分を切断して除去することにより、図１で示した多芯同軸ケーブル１が作成される。
【００２１】
以上説明した本実施形態に係る多芯同軸ケーブル１は、８本の同軸ケーブル１０と１本の絶縁電線２０とが集合されたものである。その８本の同軸ケーブル１０が隣の同軸ケーブルと接触するように束ねられ、その結果、長さ方向に垂直な断面で見て丸く束ねられており、それぞれの長さ方向の同一箇所で８本の同軸ケーブル１０の外被１４および絶縁電線２０の外被２２が除去されている。そして、外被１４が除去された箇所の８本の同軸ケーブル１０の外部導体１３および外被２２が除去された箇所の絶縁電線２０の導体２１の周囲に金属線３０が巻き付けられている。これにより、８本の同軸ケーブル１０および絶縁電線２０が束ねられている。さらに、当該束ねられた部分が半田付けされて固着され８本の同軸ケーブル１０の外部導体１３および絶縁電線２０の導体２１が一体化されている。
【００２２】
この構成によれば、８本の同軸ケーブル１０の外部導体１３と絶縁電線２０の導体２１に金属線３０を巻きつけて束ね、半田付けするという簡易な作業により、８本の同軸ケーブル１０および絶縁電線２０を丸く束ねて一体化できる。
これにより、簡易な作業で作成できる、８本の同軸ケーブル１０および絶縁電線２０が接地接続されて一体化された多芯同軸ケーブル１を提供できる。絶縁電線２０は各同軸ケーブル１０の外部導体の接地用電線として使用される。
【００２３】
本考案を詳細にまた特定の実施態様を参照して説明したが、本考案の精神と範囲を逸脱することなく様々な変更や修正を加えることができることは当業者にとって明らかである。
【符号の説明】
【００２４】
１  多芯同軸ケーブル
１０  同軸ケーブル
１１  中心導体
１２  内部絶縁体
１３  外部導体
１４  外被
２０  絶縁電線（接地用電線）
２１  導体
２２  外被
３０  金属線
Ｓ  半田
【図１】
0003188761.tif 000003
【図２】
0003188761.tif 000004
【図３】
0003188761.tif 000005
【図４】
0003188761.tif 000006
【図５】
0003188761.tif 000007
【図６】
0003188761.tif 000008